【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
ネットワークを介して発信しようとする発信情報が掲示される発信情報掲示手段と、
前記発信情報に関連する情報発信会員を特定する会員特定情報と、各情報発信会員が持つ、該発信情報に関するアクセス権とが関連付けて記憶された情報発信会員記憶手段と、
前記情報発信会員記憶手段に記憶された会員特定情報を用いて、情報掲示システムにアクセスしてきた情報発信会員を特定する情報発信会員特定手段と、
前記情報発信会員特定手段が特定した情報発信会員が、情報掲示システム内で発信情報に関してアクセス可能な範囲を、前記情報発信会員記憶手段に記憶された、各情報発信会員が持つアクセス権に基づいて管理するアクセス管理手段とを有することを特徴とする情報掲示システム。
【請求項２】
前記アクセス管理手段は、前記情報発信会員記憶手段に記憶されたアクセス権に基づいて、情報掲示システムにアクセスしてきた情報発信会員にアクセス可能な範囲を通知することを特徴とする請求項１に記載の情報掲示システム。
【請求項３】
情報発信会員がネットワークを介して発信しようとする発信情報の原稿が記憶される原稿記憶手段を有し、
前記情報発信会員記憶手段に記憶されたアクセス権は、前記原稿記憶手段に記憶された原稿を参照可能な参照権と、変更可能な変更権と、前記発信情報掲示手段に掲示することの承認が可能な承認権とを含み、
前記アクセス管理手段は、前記参照権、変更権、承認権に基づき、アクセス可能な原稿の範囲を管理する
ことを特徴とする請求項１または２に記載の情報掲示システム。
【請求項４】
前記発信情報掲示手段に掲示された発信情報へのアクセスの記録であるログを蓄積するログ蓄積手段を有し、
前記情報発信会員記憶手段に記憶されたアクセス権は、前記ログ蓄積手段に蓄積されたログを参照可能なログ参照権を含み、
前記アクセス管理手段は、前記ログ参照権に基づき、アクセス可能なログの範囲を管理する
ことを特徴とする請求項１から３のいずれかに記載の情報掲示システム。
【請求項５】
発信情報掲示手段に発信情報を掲示した情報発信会員への情報掲載料の課金額を記憶する課金額記憶手段を有し、
前記情報発信会員記憶手段に記憶されたアクセス権は、前記課金額記憶手段に記憶された課金額を参照可能な課金額参照権を含み、
前記アクセス管理手段は、前記課金額参照権に基づき、アクセス可能な課金額情報の範囲を管理する
ことを特徴とする請求項１から４のいずれかに記載の情報掲示システム。
【請求項６】
ネットワークを介して発信しようとする発信情報を掲示する発信情報掲示ステップと、
前記発信情報に関連する情報発信会員を特定する会員特定情報と、各情報発信会員が持つ、該発信情報に関するアクセス権とを関連付けて記憶しておく情報発信会員記憶ステップと、
前記情報発信会員記憶ステップで記憶された会員特定情報を用いて、アクセスしてきた情報発信会員を特定する情報発信会員特定ステップと、
前記情報発信会員特定ステップで特定した情報発信会員が、発信情報に関してアクセス可能な範囲を、前記情報発信会員記憶ステップで記憶された、各情報発信会員が持つアクセス権に基づいて管理するアクセス管理ステップと
を有することを特徴とする情報掲示方法。
【請求項７】
ネットワークを介して発信しようとする発信情報を掲示する発信情報掲示ステップと、
前記発信情報に関連する情報発信会員を特定する会員特定情報と、各情報発信会員が持つ、該発信情報に関するアクセス権とを関連付けて記憶しておく情報発信会員記憶ステップと、
前記情報発信会員記憶ステップで記憶された会員特定情報を用いて、アクセスしてきた情報発信会員を特定する情報発信会員特定ステップと、
前記情報発信会員特定ステップで特定した情報発信会員が、発信情報に関してアクセス可能な範囲を、前記情報発信会員記憶ステップで記憶された、各情報発信会員が持つアクセス権に基づいて管理するアクセス管理ステップと
をコンピュータに実行させることを特徴とする情報掲示プログラム。
【手続補正２】
【補正対象書類名】明細書
【補正対象項目名】０００５
【補正方法】変更
【補正の内容】
【０００５】
【課題を解決するための手段】
（１）本発明の情報掲示システムは、ネットワークを介して発信しようとする発信情報が掲示される発信情報掲示手段と、前記発信情報に関連する情報発信会員（実施形態におけるＢ会員すなわち広告主、広告制作者、事務局）を特定する会員特定情報と、各情報発信会員が持つ、該発信情報に関するアクセス権とが関連付けて記憶された情報発信会員記憶手段と、前記情報発信会員記憶手段に記憶された会員特定情報を用いて、情報掲示システムにアクセスしてきた情報発信会員を特定する情報発信会員特定手段と、前記情報発信会員特定手段が特定した情報発信会員が、情報掲示システム内で発信情報に関してアクセス可能な範囲を、前記情報発信会員記憶手段に記憶された、各情報発信会員が持つアクセス権に基づいて管理するアクセス管理手段とを有することを特徴とする。
【手続補正３】
【補正対象書類名】明細書
【補正対象項目名】０００６
【補正方法】変更
【補正の内容】
【０００６】
（２）また、（１）の情報掲示システムにおいて、前記アクセス管理手段は、前記情報発信会員記憶手段に記憶されたアクセス権に基づいて、情報掲示システムにアクセスしてきた情報発信会員にアクセス可能な範囲を通知することを特徴とする。
【手続補正４】
【補正対象書類名】明細書
【補正対象項目名】０００７
【補正方法】変更
【補正の内容】
【０００７】
（３）また、（１）または（２）の情報掲示システムにおいて、情報発信会員がネットワークを介して発信しようとする発信情報の原稿が記憶される原稿記憶手段を有し、前記情報発信会員記憶手段に記憶されたアクセス権は、前記原稿記憶手段に記憶された原稿を参照可能な参照権と、変更可能な変更権と、前記発信情報掲示手段に掲示することの承認が可能な承認権とを含み、前記アクセス管理手段は、前記参照権、変更権、承認権に基づき、アクセス可能な原稿の範囲を管理することを特徴とする。
【手続補正５】
【補正対象書類名】明細書
【補正対象項目名】０００８
【補正方法】変更
【補正の内容】
【０００８】
（４）また、（１）から（３）のいずれかに記載の情報掲示システムにおいて、前記発信情報掲示手段に掲示された発信情報へのアクセスの記録であるログを蓄積するログ蓄積手段を有し、前記情報発信会員記憶手段に記憶されたアクセス権は、前記ログ蓄積手段に蓄積されたログを参照可能なログ参照権を含み、前記アクセス管理手段は、前記ログ参照権に基づき、アクセス可能なログの範囲を管理することを特徴とする。
【手続補正６】
【補正対象書類名】明細書
【補正対象項目名】０００９
【補正方法】変更
【補正の内容】
【０００９】
（５）また、（１）から（４）のいずれかに記載の情報掲示システムにおいて、発信情報掲示手段に発信情報を掲示した情報発信会員への情報掲載料の課金額を記憶する課金額記憶手段を有し、前記情報発信会員記憶手段に記憶されたアクセス権は、前記課金額記憶手段に記憶された課金額を参照可能な課金額参照権を含み、前記アクセス管理手段は、前記課金額参照権に基づき、アクセス可能な課金額情報の範囲を管理することを特徴とする。
【手続補正７】
【補正対象書類名】明細書
【補正対象項目名】００１０
【補正方法】変更
【補正の内容】
【００１０】
（６）本発明の情報掲示方法は、ネットワークを介して発信しようとする発信情報を掲示する発信情報掲示ステップと、前記発信情報に関連する情報発信会員を特定する会員特定情報と、各情報発信会員が持つ、該発信情報に関するアクセス権とを関連付けて記憶しておく情報発信会員記憶ステップと、前記情報発信会員記憶ステップで記憶された会員特定情報を用いて、アクセスしてきた情報発信会員を特定する情報発信会員特定ステップと、前記情報発信会員特定ステップで特定した情報発信会員が、発信情報に関してアクセス可能な範囲を、前記情報発信会員記憶ステップで記憶された、各情報発信会員が持つアクセス権に基づいて管理するアクセス管理ステップとを有することを特徴とする。
【手続補正８】
【補正対象書類名】明細書
【補正対象項目名】００１１
【補正方法】変更
【補正の内容】
【００１１】
（７）本発明の情報掲示プログラムは、ネットワークを介して発信しようとする発信情報を掲示する発信情報掲示ステップと、あらかじめ、前記発信情報に関連する情報発信会員を特定する会員特定情報と、各情報発信会員が持つ、該発信情報に関するアクセス権とを関連付けて記憶しておく情報発信会員記憶ステップと、前記情報発信会員記憶ステップで記憶された会員特定情報を用いて、アクセスしてきた情報発信会員を特定する情報発信会員特定ステップと、前記情報発信会員特定ステップで特定した情報発信会員が、発信情報に関してアクセス可能な範囲を、前記情報発信会員記憶ステップで記憶された、各情報発信会員が持つアクセス権に基づいて管理するアクセス管理ステップとをコンピュータに実行させることを特徴とする。